(57)【特許請求の範囲】
【請求項１】
画像を表示可能な表示部と、
画像を読み取り可能な読取部と、
複数の機能を実行可能な制御部と、
を備え、
前記制御部は、
前記表示部に少なくとも１つのショートカットキーを表示させるキー表示処理と、
何れかの前記ショートカットキーに対し、前記複数の機能のうち前記読取部による画像の読み取り動作である画像読取動作を伴う機能である特定機能を複数割り当てる複数割当処理と、
前記複数割当処理によって複数の前記特定機能が割り当てられた前記ショートカットキーである複数割当キーに対する選択操作がなされた場合、前記選択操作がなされた複数割当キーに割り当てられている複数の前記特定機能を実行する処理であって、前記画像読取動作を１回実行し、その１回の画像読取動作で読み取られた結果を用いて各前記特定機能を実行する複数機能実行処理と、
を実行し、
前記制御部は、さらに、
何れかの前記ショートカットキーに対して１つの前記特定機能を割り当てる単数割当処理と、
前記単数割当処理によって１つの前記特定機能が割り当てられた前記ショートカットキーである単数割当キーに対する選択操作がなされた場合にその単数割当キーに割り当てられている前記特定機能を実行する単数機能実行処理と、
を実行可能であり、
前記複数割当処理として、
複数の前記単数割当キーの選択操作を受け付ける複数選択処理と、
前記複数選択処理により選択された複数の前記単数割当キーにそれぞれ割り当てられている各前記特定機能をまとめて１つの前記ショートカットキーに割り当てる結合処理と、
を有することを特徴とする機能実行装置。
【請求項２】
請求項１に記載の機能実行装置であって、
前記単数割当処理として、
割り当て対象の前記特定機能の選択操作を受け付ける第１の対象選択処理と、
割り当て対象の前記特定機能の実行に必要な少なくとも１つの設定項目について、その設定項目毎の設定値の設定を受け付ける第１の設定処理と、
を有し、
前記結合処理では、前記画像読取動作に必要な前記設定項目の設定値については、割り当て対象の複数の前記特定機能において設定されている各設定値のうち何れか１つを有効化し、
前記複数機能実行処理では、前記結合処理によって複数の前記特定機能が割り当てられた複数割当キーに対する選択操作がなされた場合、前記画像読取動作については、前記結合処理で有効化された前記設定項目の設定値についてはその有効化された設定値に基づいて前記画像読取動作を行う
ことを特徴とする機能実行装置。
【請求項３】
画像を表示可能な表示部と、
画像を読み取り可能な読取部と、
複数の機能を実行可能な制御部と、
を備え、
前記制御部は、
前記表示部に少なくとも１つのショートカットキーを表示させるキー表示処理と、
何れかの前記ショートカットキーに対し、前記複数の機能のうち前記読取部による画像の読み取り動作である画像読取動作を伴う機能である特定機能を複数割り当てる複数割当処理と、
前記複数割当処理によって複数の前記特定機能が割り当てられた前記ショートカットキーである複数割当キーに対する選択操作がなされた場合、前記選択操作がなされた複数割当キーに割り当てられている複数の前記特定機能を実行する処理であって、前記画像読取動作を１回実行し、その１回の画像読取動作で読み取られた結果を用いて各前記特定機能を実行する複数機能実行処理と、
を実行し、
前記複数割当処理として、
割り当て対象の複数の前記特定機能の選択操作を受け付ける第２の対象選択処理と、
割り当て対象の複数の前記特定機能毎に、その特定機能の実行に必要な少なくとも１つの設定項目について、その設定項目毎の設定値の設定を受け付ける第２の設定処理と、
前記第２の設定処理で設定された前記設定値のうち、前記画像読取動作に必要な前記設定項目の設定値について、割り当て対象の複数の前記特定機能毎に設定されている各設定値のうち何れか１つを有効化する有効化処理と、
を有し、
前記複数機能実行処理では、前記第２の対象選択処理に基づいて複数の前記特定機能が割り当てられた複数割当キーに対する前記選択操作がなされた場合、前記画像読取動作については、前記有効化処理で有効化された各前記設定値に基づいて前記画像読取動作を行う
ことを特徴とする機能実行装置。
【請求項４】
請求項２又は請求項３に記載の機能実行装置であって、
入力操作を受け付け可能な入力部を備え、
前記複数割当処理として、
前記複数割当キーに対する、当該複数割当キーに割り当てられている複数の前記特定機能を前記入力部に対する入力操作を要求する処理を含む通常手順で実行させるか、又は前記入力操作を要しない簡易手順で実行させるか、についての選択操作を受け付ける手順選択処理と、
前記複数割当キーに対し、前記通常手順及び前記簡易手順のうち前記手順選択処理で選択された何れか一方を割り当てる手順割当処理と、
を有し、
前記複数機能実行処理では、選択された前記複数割当キーに割り当てられている複数の前記特定機能を、前記通常手順及び前記簡易手順のうち前記選択された複数割当キーに割り当てられている何れか一方の手順にて実行する
ことを特徴とする機能実行装置。
【請求項５】
請求項４に記載の機能実行装置であって、
前記通常手順による前記複数機能実行処理では、
前記複数割当キーに割り当てられている複数の前記特定機能毎にその特定機能を示す特定機能画像を前記表示部に表示させる画像表示処理と、
前記画像表示処理により表示されている複数の前記特定機能画像の何れか１つに対する選択操作を受け付ける画像選択処理と、
前記画像選択処理により前記特定機能画像が選択された場合に、その選択された特定機能画像に対応した前記特定機能の実行に必要な少なくとも１つの設定項目の設定値を前記表示部に表示させる設定値表示処理と、
前記画像表示処理の実行後、特定の実行指示操作を受け付ける指示受付処理と、
を実行し、前記指示受付処理により前記実行指示操作が受け付けられた場合に、割り当てられている複数の前記特定機能を実行する
ことを特徴とする機能実行装置。
【請求項６】
請求項１〜請求項５の何れか１項に記載の機能実行装置であって、
外部装置とデータ通信を行うことが可能な通信部を備え、
前記複数割当キーに割り当て可能な前記特定機能として、前記画像読取動作により読み取らせた画像のデータを前記通信部を介して前記外部装置へ送信させる機能を有する
ことを特徴とする機能実行装置。
【請求項７】
請求項１〜請求項６の何れか１項に記載の機能実行装置であって、
前記複数割当キーには、複数の前記特定機能が割り当てられていることを視覚的に認識可能な画像である機能識別画像が含まれる
ことを特徴とする機能実行装置。
【請求項８】
表示部に表示可能なショートカットキーに対し、複数の機能のうち画像の読み取りを行う画像読取動作を伴う機能である特定機能を複数割り当てる複数割当ステップと、
前記複数割当ステップによって複数の前記特定機能が割り当てられた前記ショートカットキーである複数割当キーを前記表示部に表示させる表示ステップと、
前記表示ステップにより前記表示部に表示された前記複数割当キーに対する選択操作がなされた場合、前記選択操作がなされた複数割当キーに割り当てられている複数の前記特定機能を実行するステップであって、前記画像読取動作を１回実行し、その１回の画像読取動作で読み取られた結果を用いて各前記特定機能を実行するように構成された複数機能実行ステップと、
何れかの前記ショートカットキーに対して１つの前記特定機能を割り当てる単数割当ステップと、
前記単数割当ステップによって１つの前記特定機能が割り当てられた前記ショートカットキーである単数割当キーに対する選択操作がなされた場合にその単数割当キーに割り当てられている前記特定機能を実行する単数機能実行ステップと、
を有し、
前記複数割当ステップは、
複数の前記単数割当キーの選択操作を受け付ける複数選択ステップと、
前記複数選択ステップにより選択された複数の前記単数割当キーにそれぞれ割り当てられている各前記特定機能をまとめて１つの前記ショートカットキーに割り当てる結合ステップと、
を有することを特徴とする機能実行方法。
【請求項９】
コンピュータに実行させるためのプログラムを記録した、前記コンピュータが読み取り可能な記録媒体であって、
前記プログラムは、前記コンピュータに、
表示部に少なくとも１つのショートカットキーを表示させるキー表示処理と、
何れかの前記ショートカットキーに対し、複数の機能のうち画像の読み取りを行う画像読取動作を伴う機能である特定機能を複数割り当てる複数割当処理と、
前記複数割当処理によって複数の前記特定機能が割り当てられた前記ショートカットキーである複数割当キーに対する選択操作がなされた場合、前記選択操作がなされた複数割当キーに割り当てられている複数の前記特定機能を実行する処理であって、前記画像読取動作を１回実行し、その１回の画像読取動作で読み取られた結果を用いて各前記特定機能を実行する複数機能実行処理と、
を実行させ、
前記複数割当処理として、
割り当て対象の複数の前記特定機能の選択操作を受け付ける第２の対象選択処理と、
割り当て対象の複数の前記特定機能毎に、その特定機能の実行に必要な少なくとも１つの設定項目について、その設定項目毎の設定値の設定を受け付ける第２の設定処理と、
前記第２の設定処理で設定された前記設定値のうち、前記画像読取動作に必要な前記設定項目の設定値について、割り当て対象の複数の前記特定機能毎に設定されている各設定値のうち何れか１つを有効化する有効化処理と、
を有し、
前記複数機能実行処理では、前記第２の対象選択処理に基づいて複数の前記特定機能が割り当てられた複数割当キーに対する前記選択操作がなされた場合、前記画像読取動作については、前記有効化処理で有効化された各前記設定値に基づいて前記画像読取動作を行う
ことを特等とする記録媒体。
【発明の詳細な説明】
【技術分野】
【０００１】
本発明は、複数の機能を実行可能な機能実行装置、機能実行方法、及び特定の機能を実行させるためのプログラムが記録された記録媒体に関する。
【背景技術】
【０００２】
画像を読み取ってその読み取った画像に対する各種処理機能を実行させることが可能な機能実行装置がある。このような機能実行装置として、特定の設定値に基づく特定の機能をショートカットとして登録しておき、簡単な操作（例えばショートカットキーの押下）によってその登録した機能を実行させることが可能な機能実行装置がある（例えば、特許文献１参照。）。
【先行技術文献】
【特許文献】
【０００３】
【特許文献１】特開２００９−１０４３４０号公報
【発明の概要】
【発明が解決しようとする課題】
【０００４】
複数のショートカット処理を実行させる場合、各ショートカットとして登録されている機能が同じ動作を含む機能であったとしても、各ショートカットの機能はそれぞれ独立して実行される。
【０００５】
例えば、原稿の画像を読み取ってその読み取った画像データを電子メールに添付して外部へ送信する第１の機能と、原稿の画像を読み取ってその読み取った画像データをインターネット経由でＷｅｂサーバへ送信する第２の機能が、それぞれショートカットとして登録されているとする。この場合、同じ原稿の画像に対して上記第１、第２の機能を実行させたい場合、各機能に対応したショートカットキーを押下することで各機能を順次実行させることができるが、原稿の画像の読み取りは機能毎に個別に行われる。つまり、読み取らせたい画像は同じであるものの、その同じ画像の読み取り動作が機能毎に繰り返されることになる。
【０００６】
上記のように、同じ動作がショートカット毎に個別に実行されることは、処理全体の処理時間の長大化を招く。また、例えば自動原稿搬送機能によって複数枚の原稿を自動で読み取らせることが可能に構成された機能実行装置においては、ショートカット処理の実行毎に逐一、原稿をセットし直す必要があり、ユーザに負担がかかる。
【０００７】
本発明は上記課題に鑑みなされたものであり、同じ動作を含む複数のショートカット処理を実行させる場合における、処理全体の処理効率の向上を図ることを目的とする。
【課題を解決するための手段】
【０００８】
上記課題を解決するためになされた本発明の機能実行装置は、画像を表示可能な表示部と、画像を読み取り可能な読取部と、複数の機能を実行可能な制御部とを備える。制御部は、キー表示処理と、複数割当処理と、複数機能実行処理とを実行する。
【０００９】
キー表示処理は、表示部に少なくとも１つのショートカットキーを表示させる処理である。複数割当処理は、何れかのショートカットキーに対し、複数の機能のうち読取部による画像の読み取り動作である画像読取動作を伴う機能である特定機能を複数割り当てる処理である。複数機能実行処理は、複数割当処理によって複数の特定機能が割り当てられたショートカットキーである複数割当キーに対する選択操作がなされた場合、その選択操作がなされた複数割当キーに割り当てられている複数の特定機能を実行する処理であって、画像読取動作を１回実行し、その１回の画像読取動作で読み取られた結果を用いて各特定機能を実行する処理である。
【００１０】
このように構成された機能実行装置では、１つのショートカットキーに対して複数の特定機能を割り当てることができ、そのショートカットキー（複数割当キー）を選択することで、割り当てられている複数の特定機能を実行させることができる。その際、画像読取動作は、割り当てられている特定機能毎に個別に実行されるのではなく、１回実行される。そして、その１回の画像読取動作の読み取り結果が複数の特定機能で用いられる。
【００１１】
従って、本発明の機能実行装置によれば、実行すべき特定機能が複数あっても画像読取動作は１回で済むため、画像読取動作を含む機能を複数種類実行させる場合における、処理全体の処理効率を向上させることが可能となる。
【００１２】
制御部は、何れかのショートカットキーに対して１つの特定機能を割り当てる単数割当処理と、その単数割当処理によって１つの特定機能が割り当てられたショートカットキーである単数割当キーに対する選択操作がなされた場合にその単数割当キーに割り当てられている特定機能を実行する単数機能実行処理と、を実行可能であってもよい。その場合、複数割当処理として、複数の単数割当キーの選択操作を受け付ける複数選択処理と、その複数選択処理により選択された複数の単数割当キーにそれぞれ割り当てられている各特定機能をまとめて１つのショートカットキーに割り当てる結合処理と、を有するようにしてもよい。
【００１３】
このように構成された機能実行装置では、１つのショートカットキーに対して１つの特定機能を割り当てることもできる。そのような構成において、既に１つの特定機能が登録されているショートカットキー（単数割当キー）が複数ある場合、各単数割当キーに割り当てられている各特定機能を組み合わせて１つのショートカットキー（複数割当キー）に割り当てることができる。そのため、１つの特定機能が割り当てられたショートカットキーが既に複数存在している場合、その既存のショートカットキーを利用して容易且つ効率的に複数割当キーへの割り当てが可能となる。
【００１４】
単数割当処理として、より具体的に、割り当て対象の特定機能の選択操作を受け付ける第１の対象選択処理と、割り当て対象の特定機能の実行に必要な少なくとも１つの設定項目について、その設定項目毎の設定値の設定を受け付ける第１の設定処理と、を有していてもよい。その場合、結合処理では、画像読取動作に必要な設定項目の設定値については、割り当て対象の複数の特定機能において設定されている各設定値のうち何れか１つを有効化するようにしてもよい。そして、複数機能実行処理では、結合処理によって複数の特定機能が割り当てられた複数割当キーに対する選択操作がなされた場合、画像読取動作については、結合処理で有効化された設定項目の設定値についてはその有効化された設定値に基づいて画像読取動作を行うようにしてもよい。
【００１５】
このように構成された機能実行装置によれば、複数の単数割当キーに割り当てられている既存の特定機能を効率良く且つ適切に結合させて１つのショートカットキー（複数割当キー）に割り当てることができる。
【００１６】
複数割当処理として、より具体的に、割り当て対象の複数の特定機能の選択操作を受け付ける第２の対象選択処理と、割り当て対象の複数の特定機能毎に、その特定機能の実行に必要な少なくとも１つの設定項目について、その設定項目毎の設定値の設定を受け付ける第２の設定処理と、その第２の設定処理で設定された設定値のうち、画像読取動作に必要な設定項目の設定値について、割り当て対象の複数の特定機能毎に設定されている各設定値のうち何れか１つを有効化する有効化処理と、を有していてもよい。そして、複数機能実行処理では、第２の対象選択処理に基づいて複数の特定機能が割り当てられた複数割当キーに対する選択操作がなされた場合、画像読取動作については、有効化処理で有効化された各設定値に基づいて画像読取動作を行うようにしてもよい。
【００１７】
このように構成された機能実行装置では、１つのショートカットキーに割り当てるべき複数の特定機能を逐一選択して新規に１つのショートカットキー（複数割当キー）に割り当てることができる。特定機能の選択の過程では、選択対象の特定機能毎に設定項目の設定値を受け付けるが、画像読取動作に必要な設定項目の設定値については、複数の特定機能毎に設定された設置値のうち何れか一方を有効化する。そのため、複数割当キーに対する複数の特定機能の新規割り当てを効率良く且つ適切に行うことができる。
【００１８】
入力操作を受け付け可能な入力部を備えている場合、複数割当処理として、手順選択処理及び手順割当処理を有していてもよい。手順選択処理は、複数割当キーに対する、当該複数割当キーに割り当てられている複数の特定機能を入力部に対する入力操作を要求する処理を含む通常手順で実行させるか、又は入力操作を要しない簡易手順で実行させるか、についての選択操作を受け付ける処理である。手順割当処理は、複数割当キーに対し、通常手順及び簡易手順のうち手順選択処理で選択された何れか一方を割り当てる処理である。そして、複数機能実行処理では、選択された複数割当キーに割り当てられている複数の特定機能を、通常手順及び簡易手順のうち割り当てられている何れか一方の手順にて実行するようにしてもよい。
【００１９】
このように構成された機能実行装置では、複数割当キーに割り当てられている特定機能を実行させる際に通常手順で実行させるか簡易手順で実行させるかをユーザに選択させることができる。そのため、ユーザは、割り当てる特定機能の種類、内容、重要度等に応じて、どちらの手順で実行させるかを指定することができる。
【００２０】
通常手順による複数機能実行処理においては、複数割当キーに割り当てられている複数の特定機能毎にその特定機能を示す特定機能画像を表示部に表示させる画像表示処理と、その画像表示処理により表示されている複数の特定機能画像の何れか１つに対する選択操作を受け付ける画像選択処理と、その画像選択処理により特定機能画像が選択された場合に、その選択された特定機能画像に対応した特定機能の実行に必要な少なくとも１つの設定項目の設定値を表示部に表示させる設定値表示処理と、画像表示処理の実行後、特定の実行指示操作を受け付ける指示受付処理と、を実行し、指示受付処理により実行指示操作が受け付けられた場合に、割り当てられている複数の特定機能を実行するようにしてもよい。
【００２１】
このように構成された機能実行装置では、通常手順において、割り当てられている複数の特定機能毎の特定機能画像が表示される。そして、何れかの特定機能画像が選択されると、その選択された特定機能画像に対応した特定機能の設定値が表示される。そのため、ユーザは、複数の特定機能の実行前に、特定機能毎に設定値を確認することができる。
【００２２】
外部装置とデータ通信を行うことが可能な通信部を備えている場合、複数割当キーに割り当て可能な特定機能として、画像読取動作により読み取らせた画像のデータを通信部を介して外部装置へ送信させる機能を有していてもよい。
【００２３】
このように構成された機能実行装置では、複数の特定機能の１つとして、読み取った画像データを外部装置へ送信する機能を割り当てることができる。そのため、読み取り回数を抑えつつ、画像データ送信を含む、その読み取り回数よりも多い数の特定機能を効率良く実行することができる。
【００２４】
複数割当キーには、複数の特定機能が割り当てられていることを視覚的に認識可能な画像である機能識別画像が含まれていてもよい。このように構成された機能実行装置によれば、複数割当キーに機能識別画像が含まれているため、ユーザは、機能識別画像に基づいて、どのショートカットキーが複数割当キーなのかを視覚的に容易に認識することができる。
【図面の簡単な説明】
【００２５】
【図１】実施形態の画像処理システムの構成を示すブロック図である。
【図２】お気に入り待機画面を示す説明図である。
【図３】第１の結合ショートカット登録パターンによる結合ショートカット生成の流れの一部（前半）を示す説明図である。
【図４】第１の結合ショートカット登録パターンによる結合ショートカット生成の流れの一部（図３の続き）を示す説明図である。
【図５】第２の結合ショートカット登録パターンによる結合ショートカット生成の流れの一部（前半）を示す説明図である。
【図６】第２の結合ショートカット登録パターンによる結合ショートカット生成の流れの一部（図５の続き）を示す説明図である。
【図７】結合ショートカットの実行パターンＡ，Ｂを示す説明図である。
【図８】結合ショートカットの実行パターンＣを示す説明図である。
【図９】ショートカット設定処理のフローチャートである。
【図１０】新規登録処理のフローチャートである。
【図１１】ショートカット実行処理のフローチャートである。
【発明を実施するための形態】
【００２６】
以下、本発明が適用された実施形態について、図面を用いて説明する。
（１）画像処理システムの構成
本実施形態の画像処理システム１は、図１に示すように、複合機１０とＰＣ（Personal Computer ）３０とを備えている。複合機１０とＰＣ３０は、ＬＡＮ（Local Area Network）３を通じて相互にデータ通信可能である。
【００２７】
複合機１０は、原稿の画像を読み取る画像読取機能、読み取った画像のデータ（以下「スキャンデータ」という）を各種の処理方法で処理するスキャンデータ処理機能、画像データ（スキャンデータを含む）を印刷出力する印刷機能などの、複数の機能を備えている。スキャンデータ処理機能の具体例については後述する。
【００２８】
複合機１０は、ＣＰＵ１１、ＲＯＭ１２、ＲＡＭ１３、ＮＶＲＡＭ１４、画像読取部１５、印刷部１６、操作部１７、表示部１８、ネットワークインタフェース１９、ＵＳＢインタフェース２０、及び回線接続部２１を備えている。
【００２９】
ＣＰＵ１１は、ＲＯＭ１２やＮＶＲＡＭ１４などに記憶されている各種プログラムに従って複合機１０内の各部の制御および各種演算を実行する。ＲＡＭ１３は、ＣＰＵ１１から直接アクセスされるメインメモリとして利用される。ＮＶＲＡＭ１４は、電気的に書き換え可能な不揮発性メモリである。ＮＶＲＡＭ１４には、複合機１０に関する各種設定情報が記憶されている。後述するショートカット機能やワンタッチ機能の設定・登録情報も、ＮＶＲＡＭ１４に記憶される。後述する図９〜図１１の各処理のプログラムは、ＲＯＭ１２又はＮＶＲＡＭ１４に記憶されている。
【００３０】
画像読取部１５は、イメージセンサを備え、原稿の画像を読み取ってその画像を表す画像データを生成する。印刷部１６は、画像読取部１５で読み取られた画像データを含む各種画像データを印刷媒体に印刷する機能を有する。操作部１７は、ユーザによる入力操作を受け付ける入力装置である。操作部１７は、タッチパネル２２、操作ボタン（不図示）などの各種の入力手段を有する。表示部１８は、情報を表示可能な表示デバイスとしてディスプレイ（例えば液晶ディスプレイ）２３を有する。ディスプレイ２３の表示領域には、タッチパネル２２が重畳配置されている。ネットワークインタフェース１９は、複合機１０をＬＡＮ３に接続するための通信インタフェースである。ＵＳＢインタフェース２０は、周知のＵＳＢ（Universal Serial Bus）規格にてデータ通信を行うためのインタフェースである。
【００３１】
ＰＣ３０は、ＣＰＵ３１、ＲＯＭ３２、ＲＡＭ３３、ハードディスクドライブ（以下「ＨＤＤ」という）３４、操作部３５、表示部３６、及びネットワークインタフェース３７を備えている。
【００３２】
ＣＰＵ３１は、ＲＯＭ３２やＨＤＤ３４に記憶されている各種プログラムを実行することによってＰＣ３０の各部や外部機器（複合機１０を含む）を制御する。ＲＯＭ３２には、ＣＰＵ３１によって実行される各種プログラムやデータ等が記憶されている。ＲＡＭ３３は、ＣＰＵ３１が各種処理を実行するための主記憶装置として用いられる。ＨＤＤ３４には、ＯＳ（Operating System）や各種デバイスドライバ、各種アプリケーションソフトなどがインストールされている。操作部３５は、キーボードや各種ポインティングデバイスなどを有する。表示部３６は、液晶ディスプレイや有機ＥＬディスプレイなどの各種の表示デバイスを有する。ネットワークインタフェース３７は、ＰＣ３０をＬＡＮ３に接続するための通信インタフェースである。
【００３３】
ＬＡＮ３には、ＦＴＰサーバ４００が接続されている。また、ＬＡＮ３は、インターネット３００に接続されている。インターネット３００には、サーバ３１０を含む複数の情報処理装置が接続されている。複合機１０、ＰＣ３０、及びＦＴＰサーバ４００は、ＬＡＮ３を通じて相互にデータ通信可能である。また、複合機１０、ＰＣ３０、及びＦＴＰサーバ４００は、インターネット３００に接続されている各種の情報処理装置とデータ通信可能である。
【００３４】
（２）スキャンデータ処理機能の説明
本実施形態の複合機１０では、画像読取部１５で読み取った原稿のスキャンデータを処理する機能として、複数種類のスキャンデータ処理機能を有している。本実施形態では、スキャンデータ処理機能として、例えば、スキャンｔｏＰＣ、スキャンｔｏＵＳＢ、スキャンｔｏＥメール、スキャンｔｏＦＡＸ、スキャンｔｏＦＴＰ、スキャンｔｏネットワークなどがある。
【００３５】
スキャンｔｏＰＣは、スキャンデータを、複合機１０に接続されているＰＣ（例えばＰＣ３０）に送信する機能である。スキャンｔｏＵＳＢは、スキャンデータを、ＵＳＢインタフェース２０に接続されているＵＳＢメモリに送信して保存させる機能である。スキャンｔｏＥメールは、スキャンデータを特定の電子メールアドレス宛に電子メールで送信する機能である。スキャンｔｏＦＡＸは、スキャンデータを回線接続部２１を介してファクシミリ送信する機能である。スキャンｔｏＦＴＰは、スキャンデータをＦＴＰサーバに送信する機能である。スキャンｔｏネットワークは、スキャンデータをインターネット３００に接続された各種のサーバへ送信する機能である。
【００３６】
（３）ショートカット機能の説明
上述した各種のスキャンデータ処理機能を利用する際には、通常、ユーザは複数の手順を踏んで実行させる必要がある。例えば、スキャンｔｏＰＣの機能を利用したい場合、送信先のＰＣを指定する入力操作や、スキャン時の各種設定値の設定・確認作業等が必要となる。各種設定値としては、例えば、両面スキャンの有無、カラー設定、スキャン時の解像度、原稿サイズ、ファイルタイプなどに関する設定値がある。また、例えば、スキャンｔｏＥメールの機能を利用したい場合は、送信先のメールアドレスの指定操作や、スキャン時の各種設定値の設定・確認作業等が必要となる。そのため、上述した各種のスキャンデータ処理機能を通常の手順で実行させようとすると、非常に手間がかかる。
【００３７】
これに対し、本実施形態の複合機１０では、当該複合機１０が有する各種機能のうち少なくともスキャンデータ処理機能について、ショートカット登録を行うことができる。そして、登録したショートカットに基づくショートカット処理を実行させることで、スキャンデータ処理機能を、ユーザの手数を減らして実行させることができる。
【００３８】
本実施形態の複合機１０では、ショートカットを合計で少なくとも４８種類登録することができる。ショートカットを登録又は実行させるためには、ディスプレイ２３にお気に入り待機画面を表示させる必要がある。図２に、お気に入り待機画面６０の一例を示す。
【００３９】
図２に示すように、お気に入り待機画面６０には、タブ表示領域６７と、複数（本実施形態では６個）のキー表示領域６１〜６６が割り当てられている。タブ表示領域６７には第１タブから第８タブまでの８つのタブが表示され、そのうちユーザにより選択された１つのタブが選択状態として表示される。図２は、最も左側の第１タブが選択されている例を示している。
【００４０】
各キー表示領域６１〜６６には、選択されているタブに対応したキーが表示される。つまり、１つのタブに対して６個のキーが割り当てられている。タブを切り替えると、各キー表示領域６１〜６６内のキーも、切り替え後のタブに対応したキーに切り替わる。
【００４１】
各キー表示領域６１〜６６に表示されるキーには複数の種類がある。例えば、図２に例示するように、登録されている特定のショートカットが割り当てられていてそのショートカットに基づくショートカット処理を実行させることが可能なショートカット実行キー７１，７２，７５，７６、ショートカットがまだ割り当てられていないショートカット登録キー７３，７４などがある。ショートカット実行キーを選択する入力操作を行うと、そのショートカット実行キーに割り当てられて登録されているショートカットに基づくショートカット処理が実行される。
【００４２】
なお、入力操作としては種々の操作方法を採用できるが、本実施形態では、操作対象キーの押下（詳しくは、タッチパネル２２における、操作対象キーが表示されている領域の押下）を例に挙げて説明する。お気に入り待機画面６０には、右上隅にメニューキー７７が表示される。このメニューキー７７を押下すると、登録されているショートカットの内容を編集することができる。
【００４３】
各ショートカット実行キー７１，７２，７５，７６には、それぞれ対応するショートカットのプロファイルが紐付けられている。プロファイルは、登録されているショートカット機能の実行に必要な情報である。具体的には、機能実行に必要な複数の設定項目毎の設定値に関する情報である。
【００４４】
例えばショートカットとして登録されている機能がスキャンｔｏＵＳＢの場合、プロファイルとして、両面スキャンの有無、カラー設定、スキャン時の解像度、ファイルタイプ、スキャンデータ保存先のＵＳＢポート、などがある。
【００４５】
プロファイルは、ショートカットの登録時にショートカット毎に個別に生成され、例えばＮＶＲＡＭ１４に保存される。何れかのショートカット実行キーが押下された場合、そのショートカット実行キーに割り当てられて登録されているショートカットに基づくショートカット処理が実行されるが、その際、そのショートカット実行キーに紐付けられている、そのショートカットの実行に必要なプロファイルが、ＮＶＲＡＭ１４から読み出される。そして、その読み出されたプロファイルに従ってショートカット処理が実行される。
【００４６】
ショートカットを登録することで、特定のスキャンデータ処理機能を少ない手数で実行させることができ、ショートカット実行キーを押下するだけで後はユーザ操作を要することなく登録機能を全て完了させることもできる。しかし、ユーザによっては、或いは機能の種類によっては、実行開始前或いは完了前に処理を一旦止めて処理内容を確認することを望む場合もある。例えばスキャンｔｏＥメールの場合、スキャンデータの誤送信を防ぐために、少なくとも送信前に送信先アドレスを表示させ、アドレス確認作業を経てから送信が実行されるようにしたいと望むユーザがいるかもしれない。
【００４７】
そこで本実施形態の複合機１０は、ショートカット登録されている各機能毎に、登録されている機能を通常手順又は簡易手順のどちらで実行させるかを設定可能な、ワンタッチ機能を有している。通常手順とは、ユーザに対して処理内容の確認作業を要求する処理を含む処理手順である。簡易手順とは、ユーザの確認作業等を要しない処理手順、即ちショートカット実行キーが押下されれば後は自動的に機能が最後まで実行されるような処理手順である。本実施形態では、ワンタッチ機能を有効又は無効に設定でき、ワンタッチ機能を無効に設定すると通常手順で実行され、ワンタッチ機能を有効に設定すると簡易手順で実行される。
【００４８】
図２に例示したお気に入り待機画面６０では、第１、第２、第５キー表示領域６１，６２，６５に表示されている各ショートカット実行キー７１，７２，７５に割り当てられている各ショートカットは、ワンタッチ機能が無効に設定されている。一方、第６キー表示領域６６に表示されているショートカット実行キー７６に割り当てられているショートカットは、ワンタッチ機能が有効に設定されている。ワンタッチ機能の有効、無効の設定は、ショートカット毎に個別に行うことができる。また、お気に入り待機画面６０において、ワンタッチ機能が有効又は無効のいずれに設定されているかについては、本実施形態では、ショートカット実行キーの色で判断することができる。本実施形態では、ワンタッチ機能が無効に設定されているショートカットのショートカット実行キーは薄いグレー色で表示され、ワンタッチ機能が有効に設定されているショートカット実行キーは緑色で表示される。
【００４９】
（４）結合ショートカットの説明
複合機１０を使用する際、複数のショートカット処理を順次実行させたいケースも起こり得る。特にスキャンデータ処理機能のショートカットの場合、読み取ったスキャンデータを複数種類の処理方法で処理させたい場合が起こり得る。一例として、ある原稿の画像を読み取って、その読み取ったスキャンデータをＵＳＢに保存すると共にＥメール送信させたい場合が考えられる。
【００５０】
この場合、例えば、まずスキャンｔｏＵＳＢのショートカット処理を実行させ、次にスキャンｔｏＥメールのショートカット処理を実行させることで、特定の処理を完了させることができる。しかし、上記例の場合、読み取り対象の原稿は同じであるにもかかわらず、機能毎に（即ちショートカット毎に）、ユーザはその同じ原稿を逐一複合機１０にセットする必要があり、複合機１０もその同じ原稿を逐一スキャンする必要がある。
【００５１】
そこで本実施形態の複合機１０は、複数のスキャンデータ処理機能を結合して１つのショートカットとして登録することができるように構成されている。以下、複数のスキャンデータ処理機能が結合されたショートカットを「結合ショートカット」といい、結合ショートカットが割り当てられたショートカット実行キーを「結合ショートカット実行キー」という。
【００５２】
具体的には、例えば、スキャンｔｏＵＳＢとスキャンｔｏＥメールの２つの機能を結合ショートカットとして登録できる。そして、この結合ショートカットに基づくショートカット処理を実行させると、２つの機能が順次実行されるが、原稿のスキャンは１回だけ行われる。即ち、原稿のスキャンが１回行われることによりスキャンデータが生成され、そのスキャンデータが、２つの機能の双方に用いられる。
【００５３】
（５）結合ショートカットの登録方法
結合ショートカットの登録方法として、主に、第１の結合ショートカット登録パターンによる登録方法と、第２の結合ショートカット登録パターンによる登録方法との、２つの方法がある。以下、順に説明する。
【００５４】
（５−１）第１の結合ショートカット登録パターン
第１の結合ショートカット登録パターンは、既存のショートカットを複数組み合わせて１つの結合ショートカットを生成、登録するパターンである。具体的な登録手順を、図３及び図４を用いて説明する。
【００５５】
複合機１０の電源を投入後、所定の起動処理が行われると、ディスプレイ２３には、図３に示す基本待機画面４０が表示される。基本待機画面４０には、ファクスモードキー４１、コピーモードキー４２、スキャンモードキー４３、メニューキー４４、及びショートカットキー４５などが表示される。各モードキー４１，４２，４３のいずれかを押下すると、対応する機能の実行に必要な各種処理を順次進めることができ、最終的に対応する処理を実行させることができる。
【００５６】
ショートカットキー４５を押下すると、図２に例示したお気に入り待機画面６０が表示される。そのため、複合機１０の起動後、ショートカットの実行或いは新規登録などを行いたい場合は、基本待機画面４０内のショートカットキー４５を押下すればよい。
【００５７】
メニューキー４４を押下すると、図３において基本待機画面４０の右側に図示されている、メニュー画面５０が表示される。メニュー画面５０には、複合機１０の各種設定項目の設定や設定状態の確認などを行うための各種のキーが表示され、その１つにショートカット設定キー５１がある。ショートカット設定キー５１を押下することで、登録済みのショートカットの内容を確認したり、登録内容を変更したり、複数の登録済みショートカットを結合して結合ショートカットを生成したりすることができる。
【００５８】
即ち、ショートカット設定キー５１を押下すると、図３においてメニュー画面５０の右側に図示されているショートカット選択画面５３が表示される。このショートカット選択画面５３は、見かけ上は、画面上端に表示されている文字を除き、図２に例示したお気に入り待機画面６０と同じであり、６つのキー表示領域６１〜６６のそれぞれに、現在の登録状態に応じたキーが表示される。タブを切り替えると、キーの表示内容も切り替わる。
【００５９】
ショートカット選択画面５３の中から、結合させたいショートカットの一つ目（ベース）を選び、そのショートカット実行キーを押下すると、図３において基本待機画面４０の下側に図示されている処理選択画面５５が表示される。なお、ここでは、ショートカット選択画面５３において第２キー表示領域６２に表示されているショートカット実行キー７２が押下されたものとして説明を続ける。また、そのショートカット実行キー７２に割り当てられているショートカットを、第２ショートカットと称する。
【００６０】
処理選択画面５５には、ショートカット選択画面５３で選択されたショートカットに対する処理内容を選択させるための複数の選択肢（複数のキー）が表示され、その１つに結合キー５６がある。ショートカット選択画面５３で選択した第２ショートカットに他のショートカットを結合させて１つの結合ショートカットを生成したい場合は、処理選択画面５５で結合キー５６を押下すればよい。結合キー５６を押下すると、図３において処理選択画面５５の右側に図示されている結合対象選択画面８０が表示される。
【００６１】
結合対象選択画面８０は、画面上端に表示されている文字を除き、ショートカット選択画面５３と同じである。結合対象選択画面８０の中から、ベースである第２ショートカットと結合させたいショートカットを選び、そのショートカット実行キーを押下すると、図３において結合対象選択画面８０の右側に図示されている結合確認画面８５が表示される。なお、ここでは、結合対象選択画面８０において第１キー表示領域６１に表示されているショートカット実行キー７１が押下されたものとして説明を続ける。また、そのショートカット実行キー７１に割り当てられているショートカットを、第１ショートカットと称する。
【００６２】
結合確認画面には、選択された２つのショートカットを結合させることを報知するテキストと、ＯＫキー８６が表示される。ＯＫキー８６を押下すると、図４の最上段に示す保存方法確認画面９０が表示される。
【００６３】
また、ＯＫキー８６を押下すると、結合される複数のスキャンデータ処理機能で共用される結合プロファイルが生成される。この結合プロファイルは、原稿のスキャンを行う際に必要な各種設定値が設定されたものである。本実施形態では、少なくとも両面スキャンの有無、カラー設定、及びスキャン時の解像度が、結合プロファイルとして生成される。
【００６４】
結合対象の複数のショートカット相互間で同じ設定値の設定項目がある場合は、その設定項目についてはその設定値をそのまま結合プロファイルとして設定できる。一方、複数のショートカット相互間で設定値が異なる設定項目がある場合に、結合プロファイルとしてその設定項目の設定値をどのように設定するかについては適宜決めることができる。例えば、結合対象の複数のショートカットのうち何れか１つの設定値を採用することが考えられる。またその場合、どのショートカットの設定値を採用するかについても種々考えられる。本実施形態では、例えばカラー設定については、カラーとモノクロが混在している場合にはカラーを優先的に結合プロファイルとして設定するように構成されている。また例えば、読み取り解像度については、解像度の高い方を優先的に結合プロファイルとして設定するよう構成されている。
【００６５】
保存方法確認画面９０は、これから生成する結合ショートカットを、既存の第１ショートカット又は第２ショートカットに上書きして保存（登録）するか、又は、既存の第１、第２ショートカットは共に残して完全に新規の結合ショートカットとして保存（登録）するかをユーザに選択させるための画面である。保存方法確認画面９０には、上書き保存キー９１と、新規保存キー９２が表示される。なお、本実施形態では、上書き保存する場合は、ショートカット選択画面５３で選択されたベースのショートカットに対して上書き保存される。そのため、上記例では、上書き保存が選択された場合は、第２キー表示領域６２に表示されるショートカット実行キー７２に対応した第２ショートカットが、新たに生成される結合ショートカットに変更されることになる。
【００６６】
上書き保存キー９１を押下すると、図４の中段左側に図示されているリネーム確認画面１００が表示される。このリネーム確認画面１００は、結合ショートカットの名称を、既存の第２ショートカットの名称のままとするかそれとも変更するかをユーザに選択させるための画面であり、要求キー１０１と拒否キー１０２が表示される。要求キー１０１が押下された場合は、図４においてリネーム確認画面１００の右側に図示されている名称入力画面１１０が表示される。ユーザは、この名称入力画面１１０に対して、作成中の結合ショートカットの名称を任意に設定することができる。名称入力枠１１１内に結合ショートカットの名称を入力してＯＫキー１１２を押下すると、結合ショートカットが正式に生成・登録され、図４において中段右側のお気に入り待機画面６０が表示される。図示の如く、このお気に入り待機画面６０では、第２キー表示領域６２に、今回新たに生成した結合ショートカットの結合ショートカット実行キー７９が表示される。この結合ショートカット実行キー７９には、結合ショートカットが割り当てられていることを示す結合アイコン７９ａが表示される。一方、第１キー表示領域６１は、結合前に表示されていたショートカット実行キー７１が消去されて、ショートカット登録キーが表示される。
【００６７】
リネーム確認画面１００において、拒否キー１０２が押下された場合は、名称入力画面１１０が表示されることなく結合ショートカットが正式に生成・登録され、お気に入り待機画面６０が表示される。この場合も、第１キー表示領域６１にはショートカット登録キーが表示されて第２キー表示領域６２に結合ショートカットの結合ショートカット実行キー７９が表示されるが、その結合ショートカットの名称は、結合前に第２キー表示領域６２に割り当てられていた第２ショートカットの名称と同じである。
【００６８】
保存方法確認画面９０で、新規保存キー９２を押下すると、図４の下段左側に図示されている保存場所選択画面１２０が表示される。この保存場所選択画面１２０において、ショートカットがまだ割り当てられていないショートカット登録キーの中から何れか１つを、結合ショートカット用として選択することができる。図４に示す保存場所選択画面１２０には、ショートカット登録キーが２つある。
【００６９】
このうち例えば第３キー表示領域６３のショートカット登録キー７３を押下すると、名称入力画面１１０を経て結合ショートカットが正式に生成・登録され、図４の下段右側のお気に入り待機画面６０が表示される。図示の如く、このお気に入り待機画面６０では、第３キー表示領域６３に、今回新たに生成した結合ショートカットの結合ショートカット実行キー７８が表示される。この結合ショートカット実行キー７８には、結合ショートカットが割り当てられていることを示す結合アイコン７８ａが表示される。一方、既存の第１ショートカット及び第２ショートカットはそのまま残される。
【００７０】
（５−２）第２の結合ショートカット登録パターン
第２の結合ショートカット登録パターンは、既存のショートカットを利用せず、はじめから新規に結合ショートカットを生成・登録するパターンである。具体的な登録手順を、図５及び図６を用いて説明する。
【００７１】
既述の通り、例えば基本待機画面４０（図３参照）中のショートカットキー４５を押下すると、図５の上段左側に図示するお気に入り待機画面６０が表示される。ここで、結合ショートカットを新規登録して例えば第３キー表示領域６３にその結合ショートカット実行キーを表示させるべく、第３キー表示領域６３に現在表示されているショートカット登録キー７３を押下すると、図５の上段中央に図示されている機能選択画面１３０が表示される。機能選択画面１３０には、ショートカット登録可能な機能毎のキーが表示され、その１つにスキャン選択キー１３１がある。スキャン選択キー１３１を押下することで、スキャンデータ処理機能に関するショートカットを登録することができる。
【００７２】
即ち、スキャン選択キー１３１を押下すると、図５の上段右側に図示されているスキャン種類選択画面１４０が表示される。スキャン種類選択画面１４０には、複数種類のスキャンデータ処理機能毎にキーが表示される。図５には、スキャンｔｏネットワークを示すＳＴＮキー、スキャンｔｏＥメールを示すＳＴＥキー１４１、スキャンｔｏＦＴＰを示すＳＴＦキー、及びスキャンｔｏＵＳＢを示すＳＴＵキー１４２が図示されている。また、各キーの左側にはチェックボックスが表示されている。
【００７３】
ユーザは、スキャン種類選択画面１４０の中から、結合させたい複数のスキャンデータ処理機能を任意に選択できる。具体的には、結合させたいスキャンデータ処理機能に対応したキー或いはそのチェックボックスを押下することで、選択することができる。図５は、ＳＴＥキー１４１とＳＴＵキー１４２が選択され、これによりそれぞれ対応するチェックボックス１４３，１４４にチェックマークが付加されている状態を図示している。つまり、図５のスキャン種類選択画面１４０は、スキャンｔｏＥメールとスキャンｔｏＵＳＢの２つのスキャンデータ処理機能が結合対象として選択されている状態を示している。
【００７４】
スキャン種類選択画面１４０において図５に例示するように２つのスキャンデータ処理機能が選択され、ＯＫキー１４６が押下されると、選択された機能毎に順次、設定値を確認・変更等させるための設定確認画面が表示される。
【００７５】
具体的には、まず、図５の下段左側に示す第１の設定確認画面１５０が表示される。第１の設定確認画面１５０には、スキャンｔｏＵＳＢに関する各設定項目の設定値がリストアップされた設定情報１５１が表示されると共に、設定変更キー１５２及び設定保存キー１５３が表示される。この第１の設定確認画面１５０によって、これからショートカット登録しようとしているスキャンｔｏＵＳＢの設定状態を確認することができる。また、設定変更キー１５２を押下すると、不図示の設定変更画面が表示され、設定内容を変更することができる。そして、設定保存キー１５３を押下すると、スキャンｔｏＵＳＢの各設定値として現在の設定状態が確定され、次の選択機能の設定確認画面に切り替わる。
【００７６】
具体的には、図５の下段中央に図示されている第２の設定確認画面１６０に切り替わる。第２の設定確認画面１６０には、スキャンｔｏＥメールに関する各設定項目の設定値がリストアップされた設定情報１６１が表示されると共に、設定変更キー１６２及び設定保存キー１６３が表示される。この第２の設定確認画面１６０によって、これからショートカット登録しようとしているスキャンｔｏＥメールの設定状態を確認することができる。また、設定変更キー１６２を押下すると設定内容を変更でき、設定保存キー１６３を押下すると、スキャンｔｏＥメールの各設定値として現在の設定状態が確定され、図５の下段右側に図示されている結合確認画面１７０が表示される。
【００７７】
なお、第１の設定確認画面１５０で設定保存キー１５３が押下されると、確定されたスキャンｔｏＵＳＢの各設定値を示すプロファイルが生成される。ここで例えば、両面スキャンについては「両面スキャン有り」、カラー設定については「モノクロ」、解像度については「１５０ｄｐｉ」、ファイルタイプについては「ＰＤＦ」がプロファイルとして設定されたものと仮定する。
【００７８】
第２の設定確認画面１６０で設定保存キー１６３が押下された場合も、確定されたスキャンｔｏＥメールの各設定値を示すプロファイルが生成される。ここでは例えば、両面スキャンについては「両面スキャン有り」、カラー設定については「カラー」、解像度については「４００ｄｐｉ」、ファイルタイプについては「ｊｐｇ」がプロファイルとして設定されたものと仮定する。
【００７９】
結合確認画面１７０には、結合対象のスキャンデータ処理機能毎の設定情報１７１とＯＫキー１７２が表示される。結合確認画面１７０によって、結合対象の各スキャンデータ処理機能（ここではスキャンｔｏＵＳＢとスキャンｔｏＥメール）の各設定状態を確認できる。そして、ＯＫキー１７２を押下すると、図６の上段左側に図示されている名称入力画面１１０が表示される。
【００８０】
また、結合確認画面１７０においてＯＫキー１７２を押下すると、結合プロファイルが生成される。本実施形態では、原稿のスキャンを行う際に必要な設定値である、両面スキャンの有無、カラー設定、及びスキャン時の解像度が、結合プロファイルとして生成される。
【００８１】
上記仮定では、両面スキャンについては結合対象の各機能のいずれも「両面スキャン有り」に設定されているため、結合プロファイルにおいても両面スキャンについては「両面スキャン有り」に設定される。一方、カラー設定については、一方は「モノクロ」で他方は「カラー」であるため、本実施形態では、カラーを優先して、カラーでのスキャンを行わせるべく、「カラー」が結合プロファイルとして設定される。さらに、解像度についても、一方は「１００ｄｐｉ」で他方は「４００ｄｐｉ」であるため、本実施形態では、最も高い解像度を優先させるべく、「４００ｄｐｉ」が結合プロファイルとして設定される。
【００８２】
図６の名称入力画面１１０で結合ショートカットの名称を入力し、ＯＫキー１１２を押下すると、図６の上段右側に図示されているワンタッチ起動設定画面１８０が表示される。このワンタッチ起動設定画面１８０は、結合ショートカットに基づくショートカット処理を通常手順で実行させるかそれとも簡易手順で実行させるかを選択させるための画面であり、有効設定キー１８１及び無効設定キー１８２が表示される。
【００８３】
ワンタッチ起動設定画面１８０において、ワンタッチ起動を有効とすべく有効設定キー１８１を押下すると、結合ショートカットが正式に生成・登録され、図６の下段左側に図示されているお気に入り待機画面６０が表示される。このお気に入り待機画面６０において、第３キー表示領域６３には、今回新規登録した結合ショートカットが割り当てられた結合ショートカット実行キー１９１が表示される。また、その結合ショートカット実行キー１９１には、結合ショートカットが割り当てられていることを示す結合アイコン１９１ａが表示される。また、その結合ショートカット実行キー１９１は、ワンタッチ起動が有効設定されていることを示す緑色にて表示される。
【００８４】
一方、ワンタッチ起動設定画面１８０において、ワンタッチ起動を無効とすべく無効設定キー１８２を押下すると、結合ショートカットが正式に生成・登録され、図６の下段右側に図示されているお気に入り待機画面６０が表示される。このお気に入り待機画面６０において、第３キー表示領域６３には、今回新規登録した結合ショートカットが割り当てられた結合ショートカット実行キー２０１が表示されるが、その色は、ワンタッチ起動が無効設定されていることを示すグレー色である。
【００８５】
なお、図５のスキャン種類選択画面１４０において、何れか１つのスキャンデータ処理機能のみ選択してＯＫキー１４６を押下すると、結合ショートカットではなく、その１つのスキャンデータ処理機能を実行させるためのショートカットの登録手順に進む。その手順は、結合確認画面１７０が表示されないことを除き、結合ショートカットの登録手順と基本的に同じである。つまり、選択された１つのスキャンデータ処理機能について、ユーザによる設定値の設定、確認等の作業、設定内容に基づくプロファイルの生成、ショートカット名称入力、ワンタッチ起動の有効又は無効の設定、などが行われて、ショートカットが生成、登録される。
【００８６】
（６）ショートカット実行パターン
次に、登録されている結合ショートカット実行キーを押下した場合の動作の流れ（結合ショートカットの実行の流れ）について、図７及び図８を用いて説明する。本実施形態では、結合ショートカットとして結合されている機能数や、ワンタッチ起動の設定状態に応じて、主に３つの実行パターンＡ〜Ｃの何れかにて実行される。
【００８７】
（６−１）実行パターンＡ
実行パターンＡは、２つのスキャンデータ処理機能が結合されてなる結合ショートカットであって且つワンタッチ起動が有効に設定されている結合ショートカットのショートカット処理が実行される際の実行パターンである。
【００８８】
図７（ａ）に示すように、お気に入り待機画面６０において、例えば第３キー表示領域６３に、ワンタッチ起動が有効に設定された結合ショートカットの結合ショートカット実行キー１９１が表示されているものとする。また、この結合ショートカットは、２つのスキャンデータ処理機能が結合されて生成されたものである。
【００８９】
この図７（ａ）に例示するお気に入り待機画面６０において、第３キー表示領域６３に表示されている結合ショートカット実行キー１９１を押下すると、結合ショートカットとして登録されている各スキャンデータ処理機能が、簡易手順にて順次実行される。その実行中は、実行中表示画面２１０が表示される。
【００９０】
なお、結合ショートカット実行時に行われる原稿のスキャンは、結合プロファイルに従って１回だけ行われる。上記例の場合、原稿のスキャンは、結合プロファイルに従い、両面スキャン有り、カラー、且つ解像度４００ｄｐｉで実行される。そして、スキャンにより得られたスキャンデータを元に、スキャンｔｏＵＳＢについてはＰＤＦ形式のデータが生成されてＵＳＢへ出力され、スキャンｔｏＥメールについてはｊｐｇ形式のデータが生成されてＥメールに添付され指定アドレスへ送信される。
【００９１】
（６−２）実行パターンＢ
実行パターンＢは、２つのスキャンデータ処理機能が結合されてなる結合ショートカットであって且つワンタッチ起動が無効に設定されている結合ショートカットのショートカット処理が実行される際の実行パターンである。
【００９２】
図７（ｂ）に示すように、お気に入り待機画面６０において、例えば第２キー表示領域６２に、ワンタッチ起動が無効に設定された結合ショートカットの結合ショートカット実行キー７９が表示されているものとする。また、この結合ショートカットは、２つのスキャンデータ処理機能が結合されて生成されたものである。
【００９３】
この図７（ｂ）に例示するお気に入り待機画面６０において、第２キー表示領域６２に表示されている結合ショートカット実行キー７９を押下すると、結合ショートカットとして登録されている各スキャンデータ処理機能が通常手順にて実行される。
【００９４】
具体的には、まずスキャンｔｏＵＳＢに関する設定確認画面２２０が表示され、スキャンｔｏＵＳＢに関する設定状態を確認することができる。この設定確認画面２２０が表示された場合、設定変更キー２２１を押下することで設定内容を変更することが可能である。さらに、設定変更した場合に、その設定変更後に新規登録キー２２２を押下することで、スキャンｔｏＵＳＢの設定内容を設定変更後の設定内容に更新することができる。そして、スキャンｔｏＵＳＢの設定確認画面２２０においてＯＫキー２２３を押下すると、スキャンｔｏＥメールに関する設定確認画面２３０が表示され、スキャンｔｏＥメールに関する設定状態を確認することができる。この設定確認画面２３０においても、設定変更キー２３１を押下することで設定内容を変更することでき、さらに、新規登録キー２３２を押下することで設定内容を更新することができる。そして、スキャンｔｏＥメールの設定確認画面２３０においてスタートキー２３３を押下すると、結合ショートカットとして登録されている各スキャンデータ処理機能が順次実行される。その実行中は、実行中表示画面２１０が表示される。
【００９５】
（６−３）実行パターンＣ
実行パターンＣは、３つ以上のスキャンデータ処理機能が結合されてなる結合ショートカットであって且つワンタッチ起動が無効に設定されている結合ショートカットのショートカット処理が実行される際の実行パターンである。
【００９６】
図８に示すように、お気に入り待機画面６０において、例えば第２キー表示領域６２に、ワンタッチ起動が無効に設定された結合ショートカットの結合ショートカット実行キー７９が表示されているものとする。また、この結合ショートカットは、３つのスキャンデータ処理機能が結合されて生成されたものである。
【００９７】
この図８に例示するお気に入り待機画面６０において、第２キー表示領域６２に表示されている結合ショートカット実行キー７９を押下すると、結合ショートカットとして登録されている各スキャンデータ処理機能が通常手順にて実行される。
【００９８】
具体的には、図８の上段中央に図示されている実行機能表示画面２４０が表示される。この実行機能表示画面２４０には、結合されている３つのスキャンデータ処理機能の各々を示す３つの設定確認キー２４１，２４２，２４３が表示される。そして、何れかの設定確認キーを押下すると、結合されている３つのスキャンデータ処理機能のうちその押下された設定確認キーに対応したスキャンデータ処理機能の設定情報が表示された設定確認画面２５０が表示される。
【００９９】
ユーザは、設定確認画面２５０によって、スキャンデータ処理機能毎にその設定内容を確認できる。また、設定確認画面２５０に表示されている設定変更キー２５１を押下することで、設定内容を変更することもできる。設定確認画面２５０に表示されている戻りキー２５２を押下すると、実行機能表示画面２４０に戻る。そして、実行機能表示画面２４０において、スタートキー２４４を押下すると、結合ショートカットとして登録されている各スキャンデータ処理機能が順次実行される。その実行中は、実行中表示画面２１０が表示される。
【０１００】
（７）ショートカット設定処理
次に、複合機１０のＣＰＵ１１が実行するショートカット設定処理について、図９を用いて説明する。ＣＰＵ１１が図９のショートカット設定処理を実行することで、図３〜図４を用いて説明した第１の結合ショートカット登録パターンによる結合ショートカットの登録が実現される。
【０１０１】
図３に示したように、基本待機画面４０からメニュー画面５０に遷移し、メニュー画面５０においてショートカット設定キー５１が押下されると、ＣＰＵ１１は、図９のショートカット設定処理を実行する。ＣＰＵ１１は、ショートカット設定処理を開始すると、Ｓ１１０で、ショートカット選択画面５３を表示させ、Ｓ１２０で、ショートカット選択画面５３に対する変更対象のショートカットの選択操作を受け付ける。結合ショートカットを生成する場合、ここで選択されるショートカットは、結合におけるベースのショートカットとなる。
【０１０２】
Ｓ１３０では、処理選択画面５５を表示させる。Ｓ１４０では、処理選択画面５５において結合キー５６が押下されたか否か判断する。結合キー以外のキーが押下された場合は（Ｓ１４０：ＮＯ）、Ｓ２６０で、押下されたキーに対応した処理を実行して、ショートカット設定処理を終了する。
【０１０３】
Ｓ１４０で、結合キー５６が押下された場合は（Ｓ１４０：ＹＥＳ）、Ｓ１５０で、結合対象選択画面８０を表示させ、Ｓ１６０で、結合対象のショートカットの選択操作を受け付ける。そして、結合対象選択画面８０において結合対象のショートカットが選択されると、Ｓ１７０で、ベースのショートカット（Ｓ１２０で選択）と結合対象のショートカット（Ｓ１６０で選択）の各プロファイルから、結合プロファイルを生成する。なお、Ｓ１７０の処理は、詳しくは、図３に示した結合確認画面８５を表示させてそこでＯＫキー８６が押下された場合に実行されるのであるが、図９ではそれらの処理を省略している。
【０１０４】
結合プロファイルの生成後、Ｓ１８０で、保存方法確認画面９０を表示させる。Ｓ１９０では、保存方法確認画面９０において、上書き保存キー９１又は新規保存キー９２のどちらが押下されたかを判断する。上書き保存キー９１が押下された場合は、Ｓ２１０に進む。新規保存キー９２が押下された場合は、Ｓ２００で、保存場所決定処理を行って、Ｓ２１０に進む。Ｓ２００の保存場所決定処理は、具体的には、図４に示した保存場所選択画面１２０を表示させて結合プロファイル実行キーの割り当て場所の選択を受け付ける処理である。
【０１０５】
Ｓ２１０では、名称入力画面１１０を表示させる。Ｓ２２０では、名称入力画面１１０に対する、結合ショートカットの名称の入力を受け付ける。Ｓ２３０では、結合ショートカットに対するワンタッチ起動の有効又は無効の設定を受け付ける。Ｓ２４０では、結合ショートカットを正式に生成・登録する。Ｓ２５０では、Ｓ２４０で登録された結合ショートカットの結合ショートカット実行キーを含むお気に入り待機画面６０を表示させる。
【０１０６】
（８）新規登録処理
次に、複合機１０のＣＰＵ１１が実行する新規登録処理について、図１０を用いて説明する。ＣＰＵ１１が図１０のショートカット設定処理を実行することで、図５〜図６を用いて説明した第２の結合ショートカット登録パターンによる結合ショートカットの登録が実現される。
【０１０７】
図５に示したように、お気に入り待機画面６０でショートカット登録キーが押下されると、ＣＰＵ１１は、図１０の新規登録処理を実行する。ＣＰＵ１１は、新規登録処理を開始すると、Ｓ３１０で、機能選択画面１３０を表示させる。Ｓ３２０では、スキャン機能が選択されたか否か、即ち機能選択画面１３０でスキャン選択キー１３１が押下されたか否か判断する。スキャン機能以外の他の機能が選択された場合は（Ｓ３２０：ＮＯ）、Ｓ３８０で、その選択された機能のショートカットを生成するための処理を行って、Ｓ３９０に進む。より具体的には、Ｓ３８０では、機能選択画面１３０で選択された機能について、設定項目の確認や設定のための各種処理を行ったり、その設定内容に基づくプロファイルの生成、保存を行う。Ｓ３８０の処理が実行されるということは、結合ショートカットではなく１つの機能に対するショートカットが生成されることを意味する。
【０１０８】
Ｓ３２０で、スキャン機能が選択された場合は（Ｓ３２０：ＹＥＳ）、Ｓ３３０で、スキャン種類選択画面１４０を表示させ、ショートカット登録させるべきスキャン種類（即ちスキャンデータ処理機能の種類）選択を受け付ける。スキャン種類選択画面１４０でＯＫキー１４６が押下されると、Ｓ３４０で、スキャン種類選択画面１４０において複数種類のスキャン種類が選択されたか否か判断する。選択されたスキャン種類が１つだった場合は（Ｓ３４０：ＮＯ）、Ｓ３８０に進む。選択されたスキャン種類が複数だった場合は（Ｓ３４０：ＹＥＳ）、Ｓ３５０に進む。
【０１０９】
Ｓ３５０では、選択されたスキャン種類毎に、設定項目の確認や設定のための各種処理を行ったり、その設定内容に基づくプロファイルの生成、保存を行う。図５に示した、スキャン種類毎の設定確認画面１５０，１６０の表示や、結合確認画面１７０の表示は、このＳ３５０の処理で行われる。そして、結合確認画面１７０においてＯＫキー１７２が押下されると、Ｓ３６０でショートカットの結合を確定し、Ｓ３７０で、結合対象の各ショートカットの各プロファイルに基づいて結合プロファイルを生成、保存する。
【０１１０】
Ｓ３９０では、名称入力画面１１０を表示させる。Ｓ４００では、名称入力画面１１０に対する、結合ショートカットの名称の入力を受け付ける。Ｓ４１０では、ワンタッチ起動設定画面１８０を表示させる。Ｓ４２０では、ワンタッチ起動設定画面１８０において有効設定キー１８１及び無効設定キー１８２のどちらが押下されたかを判断する。有効設定キー１８１が押下された場合は、Ｓ４３０で、ワンタッチ起動を有効として、結合ショートカットを正式に生成・登録する。無効設定キー１８２が押下された場合は、Ｓ４４０で、ワンタッチ起動を無効として、結合ショートカットを正式に生成・登録する。Ｓ４５０では、Ｓ４３０又はＳ４４０で登録された結合ショートカットの結合ショートカット実行キーを含むお気に入り待機画面６０を表示させる。
【０１１１】
（９）ショートカット実行処理
次に、複合機１０のＣＰＵ１１が実行するショートカット実行処理について、図１１を用いて説明する。ＣＰＵ１１が図１１のショートカット実行処理を実行することで、図７を用いて説明した各実行パターンＡ，Ｂの何れかにてショートカット処理が実行される。なお、図８に示した実行パターンＣについては、フローチャートを省略する。
【０１１２】
図７に示したように、お気に入り待機画面６０でショートカット実行キーが押下されると、ＣＰＵ１１は、図１１のショートカット実行処理を実行する。ＣＰＵ１１は、ショートカット実行処理を開始すると、Ｓ５１０で、押下されたショートカット実行キーが結合ショートカット実行キーであるか否か判断する。結合ショートカット実行キーではない場合は（Ｓ５１０：ＮＯ）、Ｓ６５０で、押下されたショートカット実行キーに割り当てられているショートカットの処理を実行する。
【０１１３】
押下されたショートカット実行キーが結合ショートカット実行キーである場合は（Ｓ５１０：ＹＥＳ）、Ｓ５２０で、ワンタッチ起動が有効に設定されているか否か判断する。ワンタッチ起動が有効に設定されている場合は（Ｓ５２０：ＹＥＳ）、Ｓ５３０で、結合プロファイルを読み込む。そしてＳ５４０で、結合プロファイルに基づいて原稿のスキャンを１回実行する。Ｓ５５０では、スキャンにより得られたスキャンデータを、結合されている各ショートカット（各スキャンデータ処理機能）毎に、対応する個別のプロファイルに登録されているファイル形式のデータに変換する。
【０１１４】
Ｓ５２０で、ワンタッチ起動が無効に設定されている場合は（Ｓ５２０：ＮＯ）、Ｓ５６０で、結合されている各スキャン種類の各プロファイルを読み込む。Ｓ５７０では、確認未完了のプロファイル、即ちＳ５８０によるプロファイルの確認処理がまだ行われていないプロファイルを１つ表示させる。具体的には、図７（ｂ）に示した実行パターンＢにおける、各設定確認画面２２０，２３０の何れかを表示させる。
【０１１５】
Ｓ５９０では、Ｓ５８０で表示させたプロファイルに対するユーザの確認操作（具体的にはＯＫキーの押下）を受け付ける。Ｓ５９０では、結合されている全てのスキャン種類のプロファイルに対してＳ５８０のプロファイル確認処理が完了したか否か判断する。まだプロファイル確認処理を行っていないスキャン種類がある場合は（Ｓ５９０：ＮＯ）、Ｓ５７０に戻る。全プロファイルについてプロファイル確認処理が完了した場合は（Ｓ５９０：ＹＥＳ）、Ｓ６００に進む。Ｓ５７０〜Ｓ５９０の処理で、図７（ｂ）に示した実行パターンＢにおける各設定確認画面２２０，２３０が順次表示される。そして、図７（ｂ）の例において、スキャンｔｏＥメールに対応した設定確認画面２３０でスタートキー２３３が押下された場合に、Ｓ５９０で肯定判定されてＳ６００に進むことになる。
【０１１６】
Ｓ６００では、Ｓ５７０〜Ｓ５９０の処理の中で、設定内容が変更されたプロファイルがあるか否か判断する。プロファイルが変更されていない場合は（Ｓ６００：ＮＯ）、Ｓ６２０に進む。Ｓ５７０〜Ｓ５９０の処理の中で何れかのスキャン種類のプロファイルが設定変更された場合は（Ｓ６００：ＹＥＳ）、Ｓ６１０で、設定変更後の各プロファイルに基づいて、結合プロファイルを再作成し、保存（ここでは上書き保存）する。
【０１１７】
Ｓ６２０では、Ｓ６１０で再作成、保存した結合プロファイルを読み込む。Ｓ６３０では、Ｓ６２０で読み込んだ結合プロファイルに基づいて原稿のスキャンを１回実行する。Ｓ６４０では、スキャンにより得られたスキャンデータを、結合されている各ショートカット（各スキャンデータ処理機能）毎に、対応する個別のプロファイルに登録されているファイル形式のデータに変換する。なお、Ｓ５４０及びＳ６３０の処理の実行中は、図７に示した実行中表示画面２１０を表示させる。
【０１１８】
（１０）実施形態の効果
以上説明した本実施形態の複合機１０によれば、１つの結合ショートカット実行キーに複数のショートカット（即ち複数のスキャンデータ処理機能のショートカット）をまとめて登録することができる。そして、その結合ショートカット実行キーを押下することで、登録されている複数のスキャンデータ処理機能を順次実行させることができる。しかも、結合ショートカット実行キーの押下で実行される機能は複数あるものの、原稿のスキャンは１回だけである。つまり、１回のスキャンで読み取ったスキャンデータが、登録されている複数のスキャンデータ処理機能において共用される。
【０１１９】
つまり、同じ原稿に対して複数のショートカット処理を実行させたい場合、その複数のショートカット処理を結合ショートカットとして登録しておくことで、１回の原稿スキャンで、その複数のショートカット処理を実行させることができる。そのため、スキャン動作を伴うショートカット処理を複数種類実行させる場合における、処理全体の処理効率を向上させることが可能となる。
【０１２０】
また、本実施形態では、結合ショートカットを登録する方法として、少なくとも、第１の結合ショートカット登録パターンと、第２の結合ショートカット登録パターンの二種類がある。
【０１２１】
第１の結合ショートカット登録パターン（図３，図４，図９参照）は、既存のショートカットから複数を選択してそれらを結合させることにより、１つの結合ショートカットを生成、登録する登録方法である。この登録方法によれば、結合ショートカットを容易に登録できる。
【０１２２】
一方、第２の結合ショート登録パターン（図５，図６，図１０参照）は、はじめから新規に結合ショートカットを生成する方法である。即ち、結合対象の複数のスキャンデータ処理機能の選択から、選択したスキャンデータ処理機能毎の各設定値の設定まで、全て新規に行う。そのため、真に登録したい結合ショートカットを効率よく生成、登録することができる。
【０１２３】
また、結合ショートカットの実行は、結合されている機能の数や、ワンタッチ機能の設定状態に応じて、主に実行パターンＡ〜Ｃの３パターンの何れかにて行われる。換言すれば、結合ショートカットの登録の仕方によって、その実行パターンを決めることができる。そのため、結合ショートカットを登録及び実行する機能に関して付加価値の高い複合機１０を提供することができる。
【０１２４】
なお、本実施形態において、ディスプレイ２３は本発明の表示部の一例に相当する。画像読取部１５は本発明の読取部の一例に相当する。ＣＰＵ１１、ＲＯＭ１２、ＲＡＭ１３、及びＮＶＲＡＭ１４を含む構成全体は本発明の制御部の一例に相当する。お気に入り待機画面６０（図２等参照）を表示させる処理は本発明のキー表示処理の一例に相当する。図９及び図１０の各処理は本発明の複数割当処理の一例に相当する。図１１の処理は本発明の複数機能実行処理の一例に相当する。図１０におけるＳ３２０，Ｓ３４０，Ｓ３８０の処理は本発明の単数割当処理の一例に相当する。図１１におけるＳ６５０の処理は本発明の単数機能実行処理の一例に相当する。図９におけるＳ１２０，Ｓ１６０の処理は本発明の複数選択処理の一例に相当する。図９におけるＳ１７０〜Ｓ２４０の処理は本発明の結合処理の一例に相当する。図１０におけるＳ３２０，Ｓ３４０の処理は本発明の第１の対象選択処理の一例に相当する。図１０におけるＳ３８０の処理は本発明の第１の設定処理の一例に相当する。図１０におけるＳ３３０の処理は本発明の第２の対象選択処理の一例に相当する。図１０におけるＳ３５０の処理は本発明の第２の設定処理の一例に相当する。図１０におけるＳ３７０の処理は本発明の有効化処理の一例に相当する。操作部１７は本発明の入力部の一例に相当する。図９のＳ２３０、及び図１０のＳ４１０，Ｓ４２０は本発明の手順選択処理の一例に相当する。図９のＳ２３０、及び図１０のＳ４３０，Ｓ４４０は本発明の手順割当処理の一例に相当する。図８の実行機能表示画面２４０を表示させる処理は本発明の画像表示処理の一例に相当する。図８の実行機能表示画面２４０において各設定確認キー２４１〜２４３の押下を受け付ける処理は本発明の画像選択処理の一例に相当する。図８の実行機能表示画面２４０においてスタートキー２４４の押下を受け付ける処理は本発明の指示受付処理の一例に相当する。図８の設定確認画面２５０を表示させる処理は本発明の設定値表示処理の一例に相当する。ネットワークＩ／Ｆ１９及び回線接続部２１は本発明の通信部の一例に相当する。
【０１２５】
［他の実施形態］
以上、本発明の実施形態について説明したが、本発明は上記実施形態に限定されることなく、種々の形態を採り得る。
【０１２６】
（１）結合ショートカットとして、３種類以上のスキャンデータ処理機能を結合させたショートカットを生成、登録してもよい。その場合、原稿のスキャン回数は、１回のみに限定されない。例えば、結合させる機能の数がｎ個の場合、スキャン回数はｎ−１回以下、つまり、結合されている機能の数よりも少ない回数であればよい。
【０１２７】
（２）結合プロファイルの生成方法は、上記実施形態の生成方法に限定されない。例えば、結合対象の複数の機能のプロファイルのうち何れか１つを結合プロファイルとして採用してもよい。その他、適宜ルールを決めて結合プロファイルを生成するようにしてもよい。
【０１２８】
（３）ワンタッチ機能が無効の場合の、結合ショートカットの実行手順は、図７、図８に示した手順に限定されない。つまり、登録されている機能を実行させるにあたり、ユーザに対してどのような確認動作、入力操作等を要求するかについては、適宜決めることができる。
【０１２９】
（４）結合ショートカットとして結合されている機能が３つ以上ある場合の実行パターンとして、図８に示した実行パターンＣはあくまでも一例であり、例えば図７（ｂ）に例示した実行パターンＢで実行させるようにしてもよい。逆に、結合されている機能が２つで且つワンタッチ起動が無効に設定されている場合の実行パターンとして、図７（ｂ）に示した実行パターンＢはあくまでも一例であり、例えば図８に例示した実行パターンＣで実行させるようにしてもよい。
【０１３０】
（５）上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【０１３１】
１…画像処理システム、３…ＬＡＮ、１０…複合機、１１，３１…ＣＰＵ、１２，３２…ＲＯＭ、１３，３３…ＲＡＭ、１４…ＮＶＲＡＭ、１５…画像読取部、１６…印刷部、１７，３５…操作部、１８，３６…表示部、１９，３７…ネットワークインタフェース、２０…ＵＳＢインタフェース、２１…回線接続部、２２…タッチパネル、２３…ディスプレイ、３０…ＰＣ、３４…ＨＤＤ、４０…基本待機画面、４４，７７…メニューキー、４５…ショートカットキー、５０…メニュー画面、５１…ショートカット設定キー、５３…ショートカット選択画面、５５…処理選択画面、５６…結合キー、６０…お気に入り待機画面、６１〜６６…キー表示領域、６７…タブ表示領域、７１，７２，７５，７６…ショートカット実行キー、７３，７４…ショートカット登録キー、７８，７９，１９１，２０１…結合ショートカット実行キー、７８ａ，７９ａ，１９１ａ，２０１ａ…結合アイコン、８０…結合対象選択画面、８５，１７０…結合確認画面、８６，１１２，１４６，１７２，２２３…ＯＫキー、９０…保存方法確認画面、９１…上書き保存キー、９２…新規保存キー、１００…リネーム確認画面、１０１…要求キー、１０２…拒否キー、１１０…名称入力画面、１１１…名称入力枠、１２０…保存場所選択画面、１３０…機能選択画面、１３１…スキャン選択キー、１４０…スキャン種類選択画面、１５０，１６０，２２０，２３０，２５０…設定確認画面、１５１，１６１，１７１…設定情報、１５２，１６２，２２１，２３１，２５１…設定変更キー、１５３，１６３…設定保存キー、１８０…ワンタッチ起動設定画面、１８１…有効設定キー、１８２…無効設定キー、２１０…実行中表示画面、２２２，２３２…新規登録キー、２３３，２４４、…スタートキー、２４０…実行機能表示画面、２４１〜２４３…設定確認キー、２５２…戻りキー、３００…インターネット、３１０…サーバ、４００…ＦＴＰサーバ。
【図１】
0006405845.tif 000002
【図２】
0006405845.tif 000003
【図３】
0006405845.tif 000004
【図４】
0006405845.tif 000005
【図５】
0006405845.tif 000006
【図６】
0006405845.tif 000007
【図７】
0006405845.tif 000008
【図８】
0006405845.tif 000009
【図９】
0006405845.tif 000010
【図１０】
0006405845.tif 000011
【図１１】
0006405845.tif 000012